(57)【要約】      （修正有）【課題】ボックス設置後でも、地表面の所定範囲の高さ、傾斜の変化に対応できるボックスを提供する。【解決手段】内筒１の外周のネジ山２に、外筒３の内周のネジ山４を螺合させ、外筒下部に外向きフランジ５と垂下壁６とよりなるカバー７を連設し、カバー内に上面を傾斜させた傾斜調整桝８を、傾斜調整桝の上面をカバーの外向きフランジの下面に当接させて内嵌めし、外筒に対して内筒を回転させて所要高さに形成し、外筒に対し傾斜調整桝を回転させて外筒および内筒に所要傾斜に形成するようにしたボックスの高さ・傾斜調整式上部桝とした。【選択図】図４
2009280984.tif 000002
【特許請求の範囲】
【請求項１】
内筒の外周のネジ山に、外筒の内周のネジ山を螺合させ、外筒下部に外向きフランジと垂下壁とよりなるカバーを連設し、前記カバー内に上面を傾斜させた傾斜調整桝を傾斜調整桝の上面を前記カバーの外向きフランジの下面に当接させて内嵌めし、外筒に対して内筒を回転させて所要高さに形成し、外筒に対し傾斜調整桝を回転させて外筒および内筒に所要傾斜に形成するようにしたボックスの高さ・傾斜調整式上部桝。
【請求項２】
内筒と外筒とに螺着させた内筒外筒固定ボルトを螺締して内筒を所要高さに設定し、外筒と傾斜調整桝に螺着させた外筒傾斜調整桝固定ボルトを螺締して外筒および内筒を所要傾斜に設定するようにしたボックスの高さ・傾斜調整式上部桝。
【発明の詳細な説明】
【技術分野】
【０００１】
本発明は、ボックスの高さ・傾斜調整式上部桝に関するものである。
【背景技術】
【０００２】
ボックスは、例えば、水道管の途中に取付けられた仕切弁などを、図１に示すような上部桝１０１、受枠１０２、蓋１０３等を用いて構成し、仕切弁などを保護し、弁本体の操作が地上からできるようにする。蓋１０３は地上から開閉可能とする。
【０００３】
地表面がボックス設置後、高さや傾斜が同一であれば図１の状態でよい。しかし、ボックス設置後、工事等により高さや傾斜の調整が必要な場合がある。
【０００４】
水平方向の調整が必要な場合は、図２に示すように上部桝１０１と受枠１０２との間に高さ調整桝１０４を入れる。
【０００５】
傾斜の調整では、図３に示すように上部桝１０１と受枠１０２との間に傾斜調整桝１０５を入れる。
【０００６】
上記図２、図３に示すようにして調整（水平、傾斜）を行うと、定まった高さ、傾斜以外の対応は不可能である。
【０００７】
また、施工時にあらかじめ多くの調整桝を準備することは不可能である。
【０００８】
さらに、上部桝の上面の三等配した位置に３本のボルトを螺着させ、高さや傾斜を調整し、速乾性無収縮モルタルを流し込んで固定することができるが、施工時間が長く、流し込んだモルタルの硬化にも時間が長くかかり、一定の強度が出るまで、ボックス上を車両等を通過させることは出来ない。
【特許文献１】特開平０７−２７９２３６号公報
【発明の開示】
【発明が解決しようとする課題】
【０００９】
ボックス設置後、工事等により地表面の高さや傾斜が変化し、調整が必要となる場合がある。前もって定まった高さ、傾斜のボックスでは、定まった高さ、傾斜以外の対応は不可能である。
【００１０】
そこで、本発明は、ボックス設置後でも、地表面の所定範囲の高さ、傾斜の変化に対応できるボックスを提供しようとするものである。
【課題を解決するための手段】
【００１１】
そこで、本発明は、上記の事情に鑑み、ボックス設置後でも、地表面の所定範囲の高さ、傾斜の変化に対応できるボックスを提供すべく、内筒の外周のネジ山に、外筒の内周のネジ山を螺合させ、外筒下部に外向きフランジと垂下壁とよりなるカバーを連設し、前記カバー内に上面を傾斜させた傾斜調整桝を傾斜調整桝の上面を前記カバーの外向きフランジの下面に当接させて内嵌めし、外筒に対して内筒を回転させて所要高さに形成し、外筒に対し傾斜調整桝を回転させて外筒および内筒に所要傾斜に形成するようにしたボックスの高さ・傾斜調整式上部桝とした。
【００１２】
また、本発明は、具体的には、内筒と外筒とに螺着させた内筒外筒固定ボルトを螺締して内筒を所要高さに設定し、外筒と傾斜調整桝に螺着させた外筒傾斜調整桝固定ボルトを螺締して外筒および内筒を所要傾斜に設定するようにしたボックスの高さ・傾斜調整式上部桝とした。
【発明の効果】
【００１３】
本発明は、上記の事情に鑑み、内筒の外周のネジ山に、外筒の内周のネジ山を螺合させ、外筒下部に外向きフランジと垂下壁とよりなるカバーを連設し、前記カバー内に上面を傾斜させた傾斜調整桝を傾斜調整桝の上面を前記カバーの外向きフランジの下面に当接させて内嵌めし、外筒に対して内筒を回転させて所要高さに形成し、外筒に対し傾斜調整桝を回転させて外筒および内筒に所要傾斜に形成するようにしたボックスの高さ・傾斜調整式上部桝としたので、ボックス設置後でも、地表面の所定範囲の高さ、傾斜の変化に対応できる。
【００１４】
また、本発明は、内筒と外筒とに螺着させた内筒外筒固定ボルトを螺締して内筒を所要高さに設定し、外筒と傾斜調整桝に螺着させた外筒傾斜調整桝固定ボルトを螺締して外筒および内筒を所要傾斜に設定するようにしたボックスの高さ・傾斜調整式上部桝であるので、ボックス設置後でも、地表面の所定範囲の高さ、傾斜の変化に対応できる。
【発明を実施するための最良の形態】
【００１５】
本発明は、ボックス設置後でも、地表面の所定範囲の高さ、傾斜の変化に対応できるボックスを提供すべく、内筒の外周のネジ山に、外筒の内周のネジ山を螺合させ、外筒下部に外向きフランジと垂下壁とよりなるカバーを連設し、前記カバー内に上面を傾斜させた傾斜調整桝を傾斜調整桝の上面を前記カバーの外向きフランジの下面に当接させて内嵌めし、外筒に対して内筒を回転させて所要高さに形成し、外筒に対し傾斜調整桝を回転させて外筒および内筒に所要傾斜に形成するようにしたボックスの高さ・傾斜調整式上部桝とした。
【００１６】
本発明の一実施例のボックスの上部桝は、図４に示すように、内筒１の外周のネジ山２に、外筒３の内周のネジ山４を螺合させ、外筒３下部に外向きフランジ５と垂下壁６とよりなるカバー７を連設し、前記カバー７内に上面３１を傾斜させた傾斜調整桝８を傾斜調整桝８の上面３１をカバー７の外向きフランジ５下面に当接させて内嵌めし、外筒３に対して内筒１を回転させて所要高さで内筒１と外筒３とに螺着させた内筒外筒固定ボルト９を螺締し、外筒３に対し傾斜調整桝８を回転させて外筒３および内筒１に所要傾斜に形成し、外筒３と傾斜調整桝８に螺着させた外筒傾斜調整桝固定ボルト１０を螺締したボックスの高さ・傾斜調整式上部桝である。
【００１７】
内筒外筒固定ボルト９は先端棒先の六角ボルト１１、六角ナット１２、ばね座金１３よりなり、外筒傾斜調整桝固定ボルト１０は六角ボルト１４、六角ナット１５、ばね座金１６よりなる。
【００１８】
本発明の上部桝は、１個の上部桝で高さと傾斜が調整可能である。
【００１９】
調整範囲は高さが最小〜最大で、傾斜が無し〜最大の範囲で、無段階調整が可能である。調整後は、内筒外筒固定ボルト９、外筒傾斜調整桝固定ボルト１０で螺締する。
【００２０】
高さの調整は、図５に示す最小の状態から、図６に示す最大の状態まで、外筒３に対し内筒１をねじ回して所要の高さにできる。内筒１を外筒３に対し時計回りに回すと内筒１が下がり、反時計回りに回すと内筒１が上がる。最小高さは内筒１のストロークエンドとなり、最大高さは内筒１の対向する外面に図７に示すような棒状鋳出し部３５があり、この棒状鋳出し部３５と外筒３の最上面が一致したところとなる。この棒状鋳出し部３５が判りやすいように、棒状鋳出し部３５の上部に矢印の鋳出し部３４を設けている。なお、この際傾斜は無しの状態である。外筒３が所定高さとなると、内筒外筒固定ボルト９で内筒１と外筒３とを螺締する。
【００２１】
傾斜は図８、図９に示す状態が最大で、図８が高さ最小、図９が高さ最大の状態である。本実施例では、調整最大高さ２０５ｍｍ、最大傾斜７％であった。
【００２２】
傾斜の調整は、図１０に示すように、外筒３の外面と外向フランジ５に設けたリブ２１と傾斜調整桝８外面に突設したつまみ２２を持ち、各々を回すことで行う。
【００２３】
図１１に示すように、外筒３の外向フランジ５上面に、三角形鋳出し２３と傾斜値２４を設け、その箇所と傾斜調整桝８のつまみ２２が合致した箇所がその状態での傾斜となり、傾斜値の目安となる。
【００２４】
外筒３と傾斜調整桝８との傾斜調整が終了したら、外筒傾斜調整桝固定ボルト１０を螺締することにより外筒３と傾斜調整桝８とを固定する。この外筒傾斜調整桝固定ボルト１０は外筒３を２等配または３等配した位置に設けてある。
【００２５】
外筒３と傾斜調整桝８の固定用ボルト３２について説明する。
【００２６】
内筒１と外筒３は、お互いのネジで一体化するが、外筒３と傾斜調整桝８とは別々になってしまう。
【００２７】
内筒１、外筒３、傾斜調整桝８が一体化すれば、製品施工時の運搬等に有利である。
【００２８】
図１２は、外筒３と傾斜調整桝８を重ねた状態である。図１３は、固定用ボルト３２の固定ボルト１４を傾斜調整桝８に接触しないところで固定した状態である。ここで、振動等の原因により固定ボルト１４が緩んでしまう事を考慮し、あらかじめ挿入しているナット１５を嵌め込み対応する。締め込んだナット１５も緩まないようにばね座金１６も一緒に挿入する。
【００２９】
また、固定ボルト１４の位置は傾斜調整桝８に接触していないところから、傾斜調整桝８上部にある段差３３より内側で固定することで、傾斜調整が可能となり外筒３と傾斜調整桝８とが一体化になる。この事で、内筒１、外筒３、傾斜調整桝８の全てが一体化となる。
【００３０】
但し、大型の傾斜調整桝になれば一体化にすることで、総重量が重くなり、逆に不利になる点が出てくるので、この方法は総重量が比較的軽い小型の傾斜調整桝に適用する。
【００３１】
図１４は、最終的に傾斜調整が終了し外筒３と傾斜調整桝８とを固定した状態である。      
【００３２】
外筒３と傾斜調整桝８の固定用ボルト３２は２本〜３本とする。
【００３３】
傾斜の方向について説明する。
【００３４】
図１５は、傾斜を４％に設定した状態である。尚、判り易いように内筒１は取り外してある。
【００３５】
傾斜無し（０％）、最大傾斜（７％）の状態であれば傾斜調整桝８のつまみ２２と傾斜調整桝８の中心を通る軸がその方向となるが、その間での傾斜状態ではこの軸が異なってくる。傾斜が多く設定してあれば目視にて、どこが最大もしくは最小かが確認できるが、傾斜が少ないと目視では確認し難い。
【００３６】
そこで、図１６、図１７に示すように傾斜の最大、最小の位置が判るように、その方向を表記する事もできる。この方向についてはあらかじめ各傾斜値を算出してある。
【００３７】
図１６・１７の状態では４％の傾斜状態になっている。この状態での最大、最小箇所は、外筒３の対向する位置に突設した外向きフランジ４２上面の傾斜方向表記の“４”と“４”の側にある棒状鋳出し部４１を結んだ軸となる。
【実施例】
【００３８】
本発明のボックスの上部桝の一例は、高さ１４０〜２０５ｍｍ、内径２５０ｍｍ、外径３６０ｍｍである。
【産業上の利用可能性】
【００３９】
本発明は、ボックスの上部桝の高さ、傾斜を調整可能としたものであるが、ねじで螺合された機械部品の長さ、傾斜の調整に利用できる。
【図面の簡単な説明】
【００４０】
【図１】従来のボックスの断面正面図である。
【図２】従来のボックスの上部桝の高さを調整した断面正面図である。
【図３】従来のボックスの上部桝の傾斜を調整した断面正面図である。
【図４】本発明の一実施例のボックスの上部枡の断面正面図である。
【図５】本発明のボックスの上部桝の高さ最小、傾斜無しの状態の縦断面正面図である。
【図６】本発明のボックスの上部桝の高さ最大、傾斜無しの状態の縦断面正面図である。
【図７】本発明のボックスの上部桝の内筒外面の棒状鋳出し部と矢印の鋳出し部を示す内筒の正面図である。
【図８】本発明のボックスの上部桝の高さ最小、傾斜最大の状態を示す縦断面正面図である。
【図９】本発明のボックスの上部桝の高さ最大、傾斜最大の状態の縦断面図である。
【図１０】本発明のボックスの外筒のリブとつまみを示す外筒の斜視図である。
【図１１】本発明のボックスの外筒の三角形鋳出しと傾斜値を示す斜視図である。
【図１２】本発明のボックスの外筒と傾斜調整桝の嵌合状態を示す縦断面図である。
【図１３】本発明のボックスの外周と傾斜調整桝の嵌合状態で固定ボルト先端が傾斜調整桝に接触してない縦断面図である。
【図１４】本発明のボックスの外筒と傾斜調整桝の嵌合状態で固定ボルト先端が傾斜調整桝に当接し固定した縦断面図である。
【図１５】本発明のボックスの外筒が傾斜４％に設定した状態の斜視図である。
【図１６】本発明のボックスの外筒の傾斜方向を表記した平面図である。
【図１７】本発明のボックスの外筒の傾斜方向を表記した斜視図である。
【符号の説明】
【００４１】
１…内筒
２…ネジ山
３…外筒
４…ネジ山
５…外向フランジ
６…垂下壁
７…カバー
８…傾斜調整桝
９…内筒外筒固定ボルト
１０…外筒傾斜調整桝固定ボルト
【図１】
2009280984.tif 000003
【図２】
2009280984.tif 000004
【図３】
2009280984.tif 000005
【図４】
2009280984.tif 000006
【図５】
2009280984.tif 000007
【図６】
2009280984.tif 000008
【図７】
2009280984.tif 000009
【図８】
2009280984.tif 000010
【図９】
2009280984.tif 000011
【図１０】
2009280984.tif 000012
【図１１】
2009280984.tif 000013
【図１２】
2009280984.tif 000014
【図１３】
2009280984.tif 000015
【図１４】
2009280984.tif 000016
【図１５】
2009280984.tif 000017
【図１６】
2009280984.tif 000018
【図１７】
2009280984.tif 000019